(57)【要約】【課題】  ジェスチャー操作を受付け可能なタッチパネルディスプレイを搭載している情報処理装置においても、送りキーが有効に活用されるようにする。【解決手段】  制御部１０は、スライド操作を受付けた時点からのリスト画像４０の移動量が設定されているスクロール量に達する前に、タッチパネル１６Ｂを介して、送りキー３４に対するタッチ操作を受付けると、設定されているスクロール量に、ＨＤＤ１７に記憶されている追加単位のスクロール量を加算することによって、設定されているスクロール量を変更し、表示部１５に、スライド操作を受付けた時点からのリスト画像４０の移動量が、変更されたスクロール量に達するまで、第１方向に向けて、短手方向Ｘにリスト画像４０をスクロールさせる。【選択図】図２Ｂ
2020204961.tif 000002
【特許請求の範囲】
【請求項１】
表示部と、
タッチパネルと、
記憶部と、
制御部と、を備え、
前記制御部は、
前記表示部に、予め定められている画像における、予め定められている方向の一部分を、表示部分として予め定められている領域に表示させるとともに、前記表示部に、前記画像において、前記表示部分よりも前記予め定められている方向の一端側に向かう第１方向側に位置しており、かつ前記表示部分に続いている送り画像部分を前記領域に表示させる指示を入力するための送りキーと、前記画像において、前記表示部分よりも前記予め定められている方向の他端側に向かう第２方向側に位置しており、かつ前記表示部分に続いている戻し画像部分を前記領域に表示させる指示を入力するための戻しキーと、を表示させ、
前記タッチパネルを介して、前記表示部分に対するスライド操作を受付けると、前記表示部に、前記スライド操作を受付けた時点からの前記画像の移動量が、前記スライド操作の属性に応じて設定されているスクロール量に達するまで、前記スライド操作の方向に向けて、前記予め定められている方向に前記画像をスクロールさせるとともに、前記設定されているスクロール量を、追加単位のスクロール量として前記記憶部に記憶させ、
前記スライド操作を受付けた時点からの前記画像の移動量が前記設定されているスクロール量に達する前に、前記タッチパネルを介して、前記送りキーに対するタッチ操作を受付けると、前記設定されているスクロール量に、前記追加単位のスクロール量を加算することによって、前記設定されているスクロール量を変更し、前記表示部に、前記スライド操作を受付けた時点からの前記画像の移動量が、変更された前記スクロール量に達するまで、前記第１方向に向けて、前記予め定められている方向に前記画像をスクロールさせる、情報処理装置。
【請求項２】
前記制御部は、前記スライド操作を受付けた時点からの前記画像の移動量が前記設定されているスクロール量に達する前に、前記タッチパネルを介して、前記戻しキーに対するタッチ操作を受付けると、前記設定されているスクロール量から、前記追加単位のスクロール量を減算することによって、設定されているスクロール量を変更し、前記表示部に、前記スライド操作を受付けた時点からの前記画像の移動量が、変更された前記スクロール量に達するまで、前記第２方向に向けて、前記予め定められている方向に前記画像をスクロールさせる、請求項１に記載の情報処理装置。
【請求項３】
前記制御部は、前記タッチパネルを介して前記スライド操作を受付けると、前記表示部に、前記スライド操作の属性に応じて設定されているスクロール速度で、前記画像をスクロールさせる、請求項１又は請求項２に記載の情報処理装置。
【請求項４】
前記制御部は、
前記画像を前記スライド操作の方向に向けてスクロールさせていないときは、前記表示部に、前記送りキー及び前記戻しキーを、予め定められている第１の表示態様によって表示させ、
前記画像を前記スライド操作の方向に向けてスクロールさせているときは、前記表示部に、前記送りキー及び前記戻しキーを、前記第１の表示態様とは異なっている第２の表示態様によって表示させる、請求項１乃至請求項３のいずれかに記載の情報処理装置。
【発明の詳細な説明】
【技術分野】
【０００１】
本発明は、情報処理装置に関し、特に、画像をスクロールさせるための技術に関する。
【背景技術】
【０００２】
タッチパネルディスプレイに表示されている画像をスクロールさせるための複数の操作方法が知られている。例えば、特許文献１には、タッチパネルディスプレイに表示されている画像に対するフリック操作若しくはスワイプ操作、スクロールバーに対するスワイプ操作、又は、上矢印が示されている戻しキー若しくは下矢印が示されている送りキーに対するタッチ操作を受付けている場合に、タッチパネルディスプレイに表示されている画像をスクロールさせる技術が開示されている。
【先行技術文献】
【特許文献】
【０００３】
【特許文献１】特開２０１３−１１４５５９号公報
【発明の概要】
【発明が解決しようとする課題】
【０００４】
一般的に、フリック操作又はスワイプ操作等のジェスチャー操作に慣れているユーザーは、タッチパネルディスプレイに表示されている画像をスクロールさせる際に、戻しキー又は送りキーに対するタッチ操作を行なうことなく、タッチパネルディスプレイに表示されている画像に対するフリック操作又はスワイプ操作を行なう場合が多い。このような場合、戻しキー又は送りキーが有効に活用されていないという問題がある。
【０００５】
特許文献１には、タッチパネルディスプレイに表示されている画像をスクロールさせるための複数の操作方法が開示されているものの、上記した問題を解決することはできない。
【０００６】
本発明は、上記の事情に鑑みなされたものであり、ジェスチャー操作を受付け可能なタッチパネルディスプレイを搭載している情報処理装置においても、送りキーが有効に活用されるようにすることを目的とする。
【課題を解決するための手段】
【０００７】
本発明の一局面に係る情報処理装置は、表示部と、タッチパネルと、記憶部と、制御部と、を備えている。制御部は、表示部に、予め定められている画像における、予め定められている方向の一部分を、表示部分として予め定められている領域に表示させるとともに、表示部に、画像において、表示部分よりも予め定められている方向の一端側に向かう第１方向側に位置しており、かつ表示部分に続いている送り画像部分を領域に表示させるための送りキーと、画像において、表示部分よりも予め定められている方向の他端側に向かう第２方向側に位置しており、かつ表示部分に続いている戻し画像部分を領域に表示させるための戻しキーと、を表示させる。制御部は、タッチパネルを介して、表示部分に対するスライド操作を受付けると、表示部に、スライド操作を受付けた時点からの画像の移動量が、スライド操作の属性に応じて設定されているスクロール量に達するまで、スライド操作の方向に向けて、予め定められている方向に画像をスクロールさせるとともに、設定されているスクロール量を、追加単位のスクロール量として記憶部に記憶させる。制御部は、スライド操作を受付けた時点からの画像の移動量が設定されているスクロール量に達する前に、タッチパネルを介して、送りキーに対するタッチ操作を受付けると、設定されているスクロール量に、追加単位のスクロール量を加算することによって、設定されているスクロール量を変更し、表示部に、スライド操作を受付けた時点からの画像の移動量が、変更されたスクロール量に達するまで、第１方向に向けて、予め定められている方向に画像をスクロールさせる。
【発明の効果】
【０００８】
本発明によれば、ユーザーは、スライド操作に応じて画像がスクロールされているときに送りキーをタッチすることによって、当該スライド操作を再度行なった場合と同じスクロール量で、画像をスクロールさせることができる。したがって、ジェスチャー操作を受付け可能なタッチパネルディスプレイを搭載している情報処理装置においても、送りキーを有効に活用できる。
【図面の簡単な説明】
【０００９】
【図１】画像形成装置の内部構成を示すブロック図である。
【図２Ａ】表示部分変更処理を示すフローチャートである。
【図２Ｂ】表示部分変更処理を示すフローチャートである。
【図３】確認画面の一例を示す図である。
【図４】リスト画像の一例を示す図である。
【図５】スライド操作が行なわれているときの確認画面の一例を示す図である。
【図６】スクロール終了時点における確認画面の一例を示す図である。
【図７】送りキーに対するタッチ操作が行なわれているときの確認画面の一例を示す図である。
【図８】スクロール終了時点における確認画面の他の一例を示す図である。
【図９】戻しキーに対するタッチ操作が行なわれているときの確認画面の一例を示す図である。
【図１０】スクロール終了時点における確認画面の他の一例を示す図である。
【発明を実施するための形態】
【００１０】
以下、本発明の一実施形態に係る情報処理装置としての画像形成装置について図面を参照して説明する。図１は、画像形成装置の内部構成を示すブロック図である。図１を参照して、画像形成装置１は、ファクシミリ機能、コピー機能、プリンター機能、及びスキャナー機能等の複数の機能を備えているカラー複合機である。
【００１１】
画像形成装置１は、制御ユニット１００を含んでいる。制御ユニット１００は、プロセッサー、ＲＡＭ(Random Access Memory）、及びＲＯＭ（Read Only Memory）等を含んでいる。プロセッサーは、例えば、ＣＰＵ（Central Processing Unit）、ＭＰＵ（Micro Processing Unit）、又はＡＳＩＣ（Application Specific Integrated Circuit）等である。
【００１２】
制御ユニット１００は、ＲＯＭ又はＨＤＤ（Hard Disk Drive）１７に記憶されている制御プログラムが上記プロセッサーによって実行されることにより、制御部１０として機能する。なお、制御部１０は、上記制御プログラムに基づく動作によらず、ハード回路により構成されていてもよい。
【００１３】
制御部１０は、画像形成装置１の全体制御を司る。例えば、制御部１０は、タッチパネル１６Ｂを介して、表示部１５において予め定められている領域に表示されている画像に対するフリック操作又はスワイプ操作を受付けると、上記領域に表示されている画像を慣性スクロールさせる。制御部１０はまた、タッチパネル１６Ｂを介して、表示部１５に表示されている送りキー又は戻しキーに対するタッチ操作を受付けると、上記画像における後述する送り部分又は後述する戻し部分を、上記領域に表示させる。
【００１４】
制御ユニット１００は、画像読取部１１、画像形成部１２、定着部１３、給紙部１４、表示部１５、操作部１６、ＨＤＤ１７、搬送機構１８、画像処理部１９、画像メモリー２０、ファクシミリ通信部２１、及び通信部２２等と電気的に接続されている。
【００１５】
画像読取部１１は、原稿台に載置されている原稿を搬送する原稿搬送部と、原稿搬送部によって搬送されてくる原稿又はプラテンガラスに載置されている原稿を光学的に読み取るスキャナーと、を含んでいるＡＤＦ（Auto Document Feeder）である。画像読取部１１は、光照射部により原稿を照射し、その反射光をＣＣＤ（Charge-Coupled Device）センサーで受光することによって、原稿を読み取って画像データを生成する。
【００１６】
画像形成部１２は、感光体ドラム、帯電装置、露光装置、現像装置、及び転写装置を含んでいる。画像形成部１２は、画像読取部１１によって生成された画像データ等に基づいて、給紙部１４から搬送されてくる記録紙に、トナー像によって構成されている画像を形成する。
【００１７】
定着部１３は、画像形成部１２によってトナー像が形成された記録紙を加熱及び加圧することによってトナー像を記録紙に定着させる。定着部１３によってトナー像が定着された記録紙は、排出トレイに排出される。
【００１８】
給紙部１４は、手差しトレイと、給紙カセットとを備えている。給紙部１４は、給紙カセットに収容されている記録紙、又は手差しトレイに載置されている記録紙を一枚ずつ引出して、画像形成部１２に向けて給紙する。
【００１９】
表示部１５は、液晶ディスプレイ等によって構成されている表示装置である。表示部１５は、画像形成装置１によって実行可能な各種機能に関する各種の画面を表示する。
【００２０】
操作部１６は、ジョブの状況又は履歴を確認するための指示を入力するための確認キー１６Ａ等の複数のハードキーを含んでいる。操作部１６はまた、表示部１５に重ねて配置されているタッチパネル１６Ｂを含んでいる。ユーザーは、操作部１６を介して、画像形成装置１によって実行可能な各種機能を実行するための指示等の各種の情報を入力する。
【００２１】
ユーザーによって、表示部１５に表示されている画面に対してフリック操作又はスワイプ操作が行なわれると、タッチパネル１６Ｂは、ユーザーの指が最初に画面に接触した第１位置、及びユーザーの指が画面から離れた第２位置を検知する。
【００２２】
ＨＤＤ１７は、画像読取部１１によって生成された画像データ等の各種データを記憶するための大容量の記憶装置である。ＨＤＤ１７は、画像形成装置１の一般的な動作を実現するための各種制御プログラムを記憶している。ＨＤＤ１７は、各種制御プログラムの１つとして、本発明の一実施形態に係る表示部分変更処理を実行するための変更プログラムを記憶している。ＨＤＤ１７は、特許請求の範囲における記憶部の一例である。
【００２３】
搬送機構１８は、搬送ローラー対及び排出ローラー対等から構成されている。搬送機構１８は、排出先として設定されている排出トレイに向けて、記録紙を搬送路に沿って搬送する。
【００２４】
画像処理部１９は、画像読取部１１によって生成された画像データに対して、必要に応じて画像処理を実行する。
【００２５】
画像メモリー２０は、画像読取部１１によって生成された出力対象の画像データを一時的に記憶する領域を含む。
【００２６】
ファクシミリ通信部２１は、公衆回線への接続を行ない、公衆回線を介して画像データの送受信を行なう。
【００２７】
通信部２２は、ＬＡＮ(Local Area Network)ボード等の通信モジュールを含んでいる。画像形成装置１は、通信部２２を介して、ネットワークを介して接続されているＰＣ(Personal Computer)２３等とデータ通信を行なう。
【００２８】
画像形成装置１の各部には電源が接続されており、この電源から電力が供給されることによって、画像形成装置１の各部が動作する。
【００２９】
［動作］
図２Ａ及び図２Ｂは、表示部分変更処理を示すフローチャートである。図３は、確認画面の一例を示す図である。図４は、確認画面に表示されているリスト画像の一例を示す図である。以下、図２乃至図４等を参照して、表示部分変更処理の実行時における画像形成装置１の動作について説明する。
【００３０】
以下、画像形成装置１は、電源が投入されている状態であるものとする。ユーザーは、操作部１６に備えられている確認キー１６Ａを押下したものとする。図３を参照して、制御部１０は、確認キー１６Ａの押下を検知すると、表示部１５に、ジョブの状況又は履歴を確認するための確認画面３０を表示させる。
【００３１】
「AAAA」というユーザー名を有しているユーザーは、自身の印刷ジョブの履歴を確認するために、印刷ジョブを選択するためのＧＵＩ(Graphical User Interface)としてのタブ３１をタッチするとともに、ジョブの履歴を選択するためのＧＵＩとしてのタブ３２をタッチしたものとする。タッチパネル１６Ｂを介して、タブ３１及びタブ３２に対するタッチ操作を受付けると、制御部１０は、表示部１５に、図４に示している、印刷ジョブの履歴を示すリスト画像４０における、確認画面３０の短手方向Ｘの一部分４２を、表示部分として予め定められている領域３３に表示させる。
【００３２】
図４を参照して、リスト画像４０は、確認画面３０の短手方向Ｘに沿って並んでいる複数の項目４１Ａ乃至４１Ｎ等を含んでいる。項目４１Ａ乃至４１Ｎ等は、それぞれ、ジョブの終了日時、ジョブの種類、ジョブ名、ユーザー名、及びジョブの実行結果をそれぞれ示す文字列を含んでいる。
【００３３】
例えば、項目４１Ａは、「３月１６日の２１時３５分」という終了日時を示す文字列と、「プリント」というジョブの種類を示す文字列と、「DOC010007」というジョブ名を示す文字列と、「AAAA」というユーザー名を示す文字列と、ジョブの実行結果として、ジョブが正常に終了していることを示す「正常終了」という文字列と、を含んでいる。
【００３４】
制御部１０は、リスト画像４０の全体を領域３３に一度に表示させることができない。したがって、制御部１０は、表示部１５に、リスト画像４０全体のうち、領域３３に表示可能な部分４２のみを、表示部分として領域３３に表示させている。この場合、部分４２は、４つの項目４１Ａ乃至４１Ｄを含んでいる。
【００３５】
制御部１０は、表示部１５に、送りキー３４を、領域３３における、確認画面３０の長手方向Ｙの一端部であって短手方向Ｘの一端部に、表示させている。制御部１０はまた、表示部１５に、戻しキー３５を、領域３３における、確認画面３０の長手方向Ｙの一端部であって短手方向Ｘの他端部に、表示させている。制御部１０は、表示部１５に、送りキー３４及び戻しキー３５を、予め定められている第１の表示色である「青色」によって、表示させているものとする。
【００３６】
送りキー３４は、リスト画像４０において、表示部分よりも短手方向Ｘの一端側に向かう第１方向側に位置しており、かつ表示部分に続いている送り画像部分を領域３３に表示させる指示を入力するためのソフトキーである。戻しキー３５は、リスト画像４０において、表示部分よりも短手方向Ｘの他端側に向かう第２方向側に位置しており、かつ表示部分に続いている戻し画像部分を領域３３に表示させる指示を入力するためのソフトキーである。
【００３７】
制御部１０は、表示部１５に、例えば、４つの項目４１Ｅ乃至４１Ｈを含んでいる表示部分を領域３３に表示させているときに、タッチパネル１６Ｂを介して、送りキー３４に対するタッチ操作を受付けると、表示部１５に、４つの項目４１Ｉ乃至４１Ｌを含んでいる送り画像部分を、領域３３に表示させる。
【００３８】
制御部１０は、表示部１５に、例えば、４つの項目４１Ｅ乃至４１Ｈを含んでいる表示部分を領域３３に表示させているときに、タッチパネル１６Ｂを介して、戻しキー３５に対するタッチ操作を受付けると、表示部１５に、４つの項目４１Ａ乃至４１Ｄを含んでいる戻し画像部分を、領域３３に表示させる。
【００３９】
図２Ａを参照して、制御部１０は、表示部１５に確認画面３０を表示させると、表示部分変更処理の実行を開始する。表示部分変更処理において、制御部１０は、リスト画像４０の表示部分に対するスライド操作を受付けるまで待機している（ステップＳ１１にてＮＯ）。ここで、スライド操作とは、フリック操作又はスワイプ操作を示すものとする。
【００４０】
図５は、スライド操作が行なわれているときの確認画面の一例を示す図である。図５を参照して、制御部１０は、表示部１５に、項目４１Ａ乃至４１Ｄを含んでいる部分４２を、表示部分として領域３３に表示させているものとする。ユーザーは、領域３３に項目４１Ｉを表示させるために、領域３３に表示されている部分４２に対して、第１方向のフリック操作Ａ１を行なったものとする。
【００４１】
タッチパネル１６Ｂを介してフリック操作Ａ１を受付けると、制御部１０は、スライド操作を受付けていると判定し（ステップＳ１１にてＹＥＳ）、受付けているスライド操作の属性に応じて、リスト画像４０のスクロール速度を設定する（ステップＳ１２）。上記したスライド操作の属性とは、特に限定されないが、例えば、スライド操作の距離、又はスライド操作の速度等である。
【００４２】
スクロール速度の設定方法としては、一般的な方法であれば特に限定されない。例えば、制御部１０はまず、スライド操作の第１位置から第２位置までの距離を、ユーザーの指が第１位置から第２位置までに移動するまでに要した時間で除することによってスライド操作の速度を取得する。制御部１０は次いで、取得されたスライド操作の速度に、予め定められている第１係数を掛合せることによって取得される値を、スクロール速度として設定する。
【００４３】
スクロール速度の設定後、制御部１０は、受付けているスライド操作の属性に応じて、スクロールによるリスト画像４０の移動量（以下、「スクロール量」と記す。）を設定する（ステップＳ１３）。スクロール量の設定方法としては、一般的な方法であれば特に限定されない。例えば、制御部１０は、スライド操作の第１位置から第２位置までの距離に、予め定められている第２係数を掛合せることによって取得される値を、リスト画像４０のスクロール量として設定する。この場合、制御部１０は、「５項目分の移動量」に相当する値を、スクロール量として設定したものとする。
【００４４】
スクロール量の設定後、制御部１０は、設定されているスクロール量を、追加単位のスクロール量としてＨＤＤ１７に記憶させる（ステップＳ１４）。追加単位のスクロール量の記憶後、制御部１０は、表示部１５に、設定されているスクロール速度で、第１方向に向かう短手方向Ｘのリスト画像４０の慣性スクロールを開始させる（ステップＳ１５）。スクロールの開始後、制御部１０は、スライド操作を受付けた時点からのリスト画像４０の移動量が、設定されているスクロール量に達しているか否かを判定する（ステップＳ１６）。
【００４５】
（１）送りキー３４又は戻しキー３５に対するタッチ操作を受付けることなく、リスト画像４０の移動量が設定されているスクロール量に達している場合
ユーザーは、リスト画像４０のスクロール中に、送りキー３４に対するタッチ操作、及び戻しキー３４に対するタッチ操作のいずれも行なわなかったものとする。
【００４６】
図２Ｂを参照して、この場合、制御部１０は、リスト画像４０の移動量が設定されているスクロール量に達していると判定するまで（ステップＳ１６にてＮＯ）、送りキー３４に対するタッチ操作を受付けていないと判定するとともに（ステップＳ１７にてＮＯ）、戻しキー３５に対するタッチ操作を受付けていないと判定している（ステップＳ１８にてＮＯ）。
【００４７】
制御部１０は、表示部１５に、項目４１Ｆ乃至４１Ｉを含んでいる表示部分が領域３３に表示されるまでリスト画像４０をスクロールさせると、リスト画像４０の移動量が設定されているスクロール量に達していると判定して（ステップＳ１６にてＹＥＳ）、リスト画像４０のスクロールを終了させる（ステップＳ１９）。スクロールの終了後、制御部１０は、ステップＳ１１の処理に戻る。
【００４８】
図６は、スクロール終了時点における確認画面の一例を示す図である。図６を参照して、このとき、制御部１０は、表示部１５に、項目４１Ｆ乃至４１Ｉを含んでいる表示部分を領域３３に表示させている。制御部１０はまた、表示部１５に、ソフトキーとして、確認画面３０を閉じる指示を入力するためのキー３６を表示させている。ユーザーは、項目４１Ｉの内容を確認して、キー３６に対するタッチ操作を行なったものとする。タッチパネル１６Ｂを介してキー３６に対するタッチ操作を受付けると、制御部１０は、表示部分変更処理を終了するとともに、表示部１５に、確認画面３０の表示を終了させる。
【００４９】
（２）リスト画像４０の移動量が設定されているスクロール量に達する前に、送りキー３４に対するタッチ操作を受付けている場合
図７は、送りキーに対するタッチ操作が行なわれているときの確認画面の一例を示す図である。図７を参照して、ユーザーは、スライド操作Ａ１を行なった後、領域３３に項目４１Ｉではなく項目４１Ｌを表示させたいと考え直し、リスト画像４０のスクロール中に、送りキー３４に対するタッチ操作を行なったものとする。
【００５０】
この場合、リスト画像４０はスクロール中であるので、制御部１０は、リスト画像４０の移動量が設定されているスクロール量に達していないと判定している（ステップＳ１６にてＮＯ）。制御部１０は、タッチパネル１６Ｂを介して送りキー３４に対するタッチ操作を受付けると、送りキー３４に対するタッチ操作を受付けていると判定して（ステップＳ１７にてＹＥＳ）、リスト画像４０の移動量が設定されているスクロール量に達していると判定するまで待機する（ステップＳ２０にてＮＯ）。
【００５１】
制御部１０は、表示部１５に、項目４１Ｆ乃至４１Ｉを含んでいる表示部分が領域３３に表示されるまでリスト画像４０をスクロールさせると、リスト画像４０の移動量が設定されているスクロール量に達していると判定して（ステップＳ２０にてＹＥＳ）、設定されているスクロール量に、ＨＤＤ１９に記憶されている追加単位のスクロール量を加算することによって、設定されているスクロール量を変更する（ステップＳ２１）。この場合、設定されているスクロール量は、変更前のスクロール量の２倍である「１０項目分の移動量」に相当する値となる。
【００５２】
スクロール量の設定変更後、制御部１０は、表示部１５に、設定されているスクロール速度で、第１方向に向かう短手方向Ｘのリスト画像４０の慣性スクロールを開始させる（ステップＳ２２）。スクロールの開始後、制御部１０は、ステップＳ１６の処理に戻る。
【００５３】
ユーザーは、送りキー３４に対するタッチ操作後、リスト画像４０のスクロール中に、送りキー３４に対するタッチ操作、及び戻しキー３４に対するタッチ操作のいずれも行なわなかったものとする。制御部１０は、表示部１５に、項目４１Ｋ乃至４１Ｎを含んでいる表示部分が領域３３に表示されるまでリスト画像４０をスクロールさせると、スライド操作を受付けた時点からのリスト画像４０の移動量が設定されているスクロール量に達していると判定して（ステップＳ１６にてＹＥＳ）、リスト画像４０のスクロールを終了させる（ステップＳ１９）。スクロールの終了後、制御部１０は、ステップＳ１１の処理に戻る。
【００５４】
図８は、スクロール終了時点における確認画面の他の一例を示す図である。図８を参照して、このとき、制御部１０は、表示部１５に、４１Ｋ乃至４１Ｎを含んでいる表示部分を領域３３に表示させている。ユーザーは、項目４１Ｌの内容を確認して、キー３６に対するタッチ操作を行なったものとする。タッチパネル１６Ｂを介してキー３６に対するタッチ操作を受付けると、制御部１０は、表示部分変更処理を終了するとともに、表示部１５に、確認画面３０の表示を終了させる。
【００５５】
（３）リスト画像４０の移動量が設定されているスクロール量に達する前に、戻しキー３５に対するタッチ操作を受付けている場合
図９は、戻しキーに対するタッチ操作が行なわれているときの確認画面の一例を示す図である。図９を参照して、ユーザーは、スライド操作Ａ１を行なった後、領域３３に項目４１Ｉではなく項目４１Ａを表示させたいと考え直し、リスト画像４０のスクロール中に、戻しキー３５に対するタッチ操作を行なったものとする。
【００５６】
この場合、リスト画像４０はスクロール中であるので、制御部１０は、リスト画像４０の移動量が設定されているスクロール量に達していないと判定している（ステップＳ１６にてＮＯ）。制御部１０は、タッチパネル１６Ｂを介して戻しキー３５に対するタッチ操作を受付けると、送りキー３４に対するタッチ操作を受付けていないと判定するとともに（ステップＳ１７にてＮＯ）、戻しキー３５に対するタッチ操作を受付けていると判定して（ステップＳ１８にてＹＥＳ）、リスト画像４０の移動量が設定されているスクロール量に達していると判定するまで待機する（ステップＳ２３にてＮＯ）。
【００５７】
制御部１０は、表示部１５に、項目４１Ｆ乃至４１Ｉを含んでいる表示部分が領域３３に表示されるまでリスト画像４０をスクロールさせると、リスト画像４０の移動量が設定されているスクロール量に達していると判定して（ステップＳ２３にてＹＥＳ）、設定されているスクロール量から、ＨＤＤ１９に記憶されている追加単位のスクロール量を減算することによって、設定されているスクロール量を変更する（ステップＳ２４）。この場合、設定されているスクロール量は「０」となる。
【００５８】
スクロール量の設定変更後、制御部１０は、表示部１５に、設定されているスクロール速度で、第２方向に向かう短手方向Ｘのリスト画像４０の慣性スクロールを開始させる（ステップＳ２５）。スクロールの開始後、制御部１０は、ステップＳ１６の処理に戻る。
【００５９】
ユーザーは、戻しキー３５に対するタッチ操作後、リスト画像４０のスクロール中に、送りキー３４に対するタッチ操作、及び戻しキー３４に対するタッチ操作のいずれも行なわなかったものとする。制御部１０は、表示部１５に、項目４１Ａ乃至４１Ｄを含んでいる表示部分が領域３３に表示されるまでリスト画像４０をスクロールさせると、スライド操作を受付けた時点からのリスト画像４０の移動量が設定されているスクロール量に達していると判定して（ステップＳ１６にてＹＥＳ）、リスト画像４０のスクロールを終了させる（ステップＳ１９）。スクロールの終了後、制御部１０は、ステップＳ１１の処理に戻る。
【００６０】
図１０は、スクロール終了時点における確認画面の他の一例を示す図である。図１０を参照して、このとき、制御部１０は、表示部１５に、項目４１Ａ乃至４１Ｄを含んでいる部分４２を表示部分として領域３３に表示させている。ユーザーは、項目４１Ａの内容を確認して、キー３６に対するタッチ操作を行なったものとする。タッチパネル１６Ｂを介してキー３６に対するタッチ操作を受付けると、制御部１０は、表示部分変更処理を終了するとともに、表示部１５に、確認画面３０の表示を終了させる。
【００６１】
上記実施形態によれば、制御部１０は、スライド操作を受付けた時点からのリスト画像４０の移動量が設定されているスクロール量に達する前に、タッチパネル１６Ｂを介して、送りキー３４に対するタッチ操作を受付けると、設定されているスクロール量に、ＨＤＤ１７に記憶されている追加単位のスクロール量を加算することによって、設定されているスクロール量を変更し、表示部１５に、スライド操作を受付けた時点からのリスト画像４０の移動量が、変更されたスクロール量に達するまで、第１方向に向けて、短手方向Ｘにリスト画像４０をスクロールさせる。
【００６２】
これによって、ユーザーは、スライド操作に応じてリスト画像４０が慣性スクロールされているときに、送りキー３４をタッチすることによって、当該スライド操作を再度行なった場合と同じスクロール量で、リスト画像４０をスクロールさせることができる。したがって、ジェスチャー操作を受付け可能なタッチパネルディスプレイを搭載している情報処理装置においても、送りキー３４を有効に活用できる。
【００６３】
また上記実施形態によれば、制御部１０は、スライド操作を受付けた時点からのリスト画像４０の移動量が設定されているスクロール量に達する前に、タッチパネル１６Ｂを介して、戻しキー３５に対するタッチ操作を受付けると、設定されているスクロール量から、ＨＤＤ１７に記憶されている追加単位のスクロール量を減算することによって、設定されているスクロール量を変更し、表示部１５に、スライド操作を受付けた時点からのリスト画像４０の移動量が、変更されたスクロール量に達するまで、第２方向に向けて、短手方向Ｘにリスト画像４０をスクロールさせる。
【００６４】
これによって、ユーザーは、スライド操作に応じてリスト画像４０が慣性スクロールされているときに、戻しキー３５をタッチすることによって、当該スライド操作に対して方向のみが逆となるスライド操作を再度行なった場合と同じスクロール量で、リスト画像４０をスクロールさせることができる。したがって、ジェスチャー操作を受付け可能なタッチパネルディスプレイを搭載している情報処理装置においても、戻しキー３５を有効に活用できる。
【００６５】
また上記実施形態によれば、制御部１０は、タッチパネル１６Ｂを介してスライド操作を受付けると、表示部１５に、スライド操作の属性に応じて設定されているスクロール速度で、リスト画像４０をスクロールさせる。
【００６６】
これによって、ユーザーは、スライド操作に応じてリスト画像４０が慣性スクロールされているときに、送りキー３４又は戻しキー３５をタッチすることによって、当該スライド操作を再度行なった場合と同じスクロール量及びスクロール速度で、又は、当該スライド操作に対して方向のみが逆となるスライド操作を再度行なった場合と同じスクロール量及びスクロール速度で、リスト画像４０をスクロールさせることができる。したがって、ユーザーの利便性がより一層向上する。
【００６７】
（第１の変形例）
上記実施形態では、制御部１０は、表示部１５に、送りキー３４及び戻しキー３５を第１の表示色である「青色」によって表示させていたが、本発明はそのような実施形態に限定されない。例えば、制御部１０は、表示部１５に、リスト画像４０をスライド操作の方向に向けてスクロールさせていないときは、送りキー３４及び戻しキー３５を第１の表示色によって表示させ、リスト画像４０をスライド操作の方向に向けてスクロールさせているときは、送りキー３４及び戻しキー３５を、第１の表示色とは異なっている第２の表示色である「赤色」によって表示させてもよい。
【００６８】
これによって、ユーザーは、送りキー３４又は戻しキー３５に対応付けられている機能の変化を、容易に認識することができる。なお、第１の表示色は「青色」に限定されず、第２の表示色は「赤色」に限定されない。例えば、第１の表示色として「緑色」が用いられ、第２の表示色として「黄色」が用いられてもよい。
【００６９】
（その他の変形例）
上記実施形態では、ユーザーによって、表示部１５に表示されている画面に対してスライド操作が行なわれると、タッチパネル１６Ｂは、ユーザーの指が最初に画面に接触した第１位置、及びユーザーの指が画面から離れた第２位置を検知したが、本発明はそのような実施形態に限定されない。例えば、タッチパネル１６Ｂは、ユーザーの指が移動を開始した第１位置、及びユーザーの指が移動を停止した第２位置を検知するように構成されていてもよい。
【００７０】
また上記実施形態では、制御部１０は、タッチパネル１６Ｂを介して、送りキー３４に対するタッチ操作を受付けると、表示部１５に、送り画像部分を領域３３に表示させたが、本発明はそのような実施形態に限定されない。例えば、制御部１０は、タッチパネル１６Ｂを介して、送りキー３４に対するタッチ操作を受付けると、表示部１５に、送り画像部分が表示されるまで、リスト画像４０をスクロールさせる構成であってもよい。
【００７１】
また上記実施形態では、制御部１０は、タッチパネル１６Ｂを介して、戻しキー３５に対するタッチ操作を受付けると、表示部１５に、戻し画像部分を領域３３に表示させたが、本発明はそのような実施形態に限定されない。例えば、制御部１０は、タッチパネル１６Ｂを介して、戻しキー３５に対するタッチ操作を受付けると、表示部１５に、戻し画像部分が表示されるまで、リスト画像４０をスクロールさせる構成であってもよい。
【００７２】
また上記第１の変形例では、制御部１０は、表示部１５に、リスト画像４０をスライド操作の方向に向けてスクロールさせていないときは、送りキー３４及び戻しキー３５を第１の表示色によって表示させ、リスト画像４０をスライド操作の方向に向けてスクロールさせているときは、送りキー３４及び戻しキー３５を第２の表示色によって表示させたが、本発明はそのような実施形態に限定されない。
【００７３】
すなわち、制御部１０は、送りキー３４及び戻しキー３５の表示態様を、リスト画像４０をスクロールさせていないときと、リスト画像４０をスクロールさせているときとで異ならせるように構成されていればよい。例えば、制御部１０は、表示部１５に、リスト画像４０をスライド操作の方向に向けてスクロールさせていないときは、送りキー３４及び戻しキー３５を、予め定められている第１の大きさで表示させ、リスト画像４０をスライド操作の方向に向けてスクロールさせているときは、送りキー３４及び戻しキー３５を、第１の大きさよりも大きくなるように予め定められている第２の大きさで表示させてもよい。
【００７４】
本発明は上記実施形態の構成に限られず種々の変形が可能である。例えば、上記実施形態では、本発明に係る情報処理装置としてカラー複合機を用いているが、これは一例に過ぎず、情報処理装置として、モノクロ複合機、プリンター、コピー機、又はファクシミリ装置等が用いられてもよい。
【００７５】
また、図１乃至図１０を用いて上記実施形態により示した構成及び処理は、本発明の一実施形態に過ぎず、本発明を当該構成及び処理に限定する趣旨ではない。
【符号の説明】
【００７６】
１      画像形成装置
１０    制御部
１５    表示部
１６Ｂ  タッチパネル
１７    ＨＤＤ
【図１】
2020204961.tif 000003
【図２Ａ】
2020204961.tif 000004
【図２Ｂ】
2020204961.tif 000005
【図３】
2020204961.tif 000006
【図４】
2020204961.tif 000007
【図５】
2020204961.tif 000008
【図６】
2020204961.tif 000009
【図７】
2020204961.tif 000010
【図８】
2020204961.tif 000011
【図９】
2020204961.tif 000012
【図１０】
2020204961.tif 000013